(57)【要約】      （修正有）【課題】コイルとマグネットとの間隔が所定の値に管理されていると共に間隔にバラツキが生じ難いレンズ駆動装置を提供する。【解決手段】手ぶれ補正用駆動ユニットは、互いに対向する第一及び第二主面３１ｂ、３１ｃを有し、光軸方向ＯＡにおいて、撮像素子とレンズ駆動ユニットとの間に配置されているコイル基板３１と、コイル基板３１に形成されている２組の第一及び第二コイル３２、３３と、２組の第一及び第二コイル３２、３３と離間し且つ対向するようにレンズ駆動ユニットに配置されている２組の第一及び第二マグネットと、を有している。２組の第一及び第二コイル３２、３３は、第一主面３１ｂから突出するようにコイル基板３１に形成されている第一導体３２ａ、３３ａと、第二主面３１ｃから突出するようにコイル基板３１に形成されている第二導体３２ｂ、３３ｂとが電気的に接続されることにより形成されている。【選択図】図４
2016024429.tif 000002
【特許請求の範囲】
【請求項１】
レンズを保持するレンズホルダ及び前記レンズホルダをレンズの光軸方向に移動させるレンズ駆動部を有し、撮像素子上に配置されるレンズ駆動ユニットと、
前記レンズ駆動ユニットを前記光軸方向と交差する方向に移動させることにより、手ぶれを補正する手ぶれ補正用駆動ユニットと、を備え、
前記手ぶれ補正用駆動ユニットは、
互いに対向する第一及び第二主面を有し、前記光軸方向において、撮像素子と前記レンズ駆動ユニットとの間に配置されている基板と、
前記基板に形成されている複数のコイルと、
前記複数のコイルと離間し且つ対向するように前記レンズ駆動ユニットに配置されている複数のマグネットと、を有し、
各前記コイルは、前記第一主面から突出するように前記基板に形成されている第一導体と、前記第二主面から突出するように前記基板に形成されている第二導体とが電気的に接続されることにより形成されている、レンズ駆動装置。
【発明の詳細な説明】
【技術分野】
【０００１】
本発明は、レンズ駆動装置に関する。
【背景技術】
【０００２】
レンズを保持するレンズホルダ及びレンズホルダをレンズの光軸方向に移動させるレンズ駆動部を有し、撮像素子上に配置されるレンズ駆動ユニットと、レンズ駆動ユニットを光軸方向と交差する方向に移動させて手ぶれを補正する手ぶれ補正用駆動ユニットと、を備えているレンズ駆動装置が知られている（例えば、特許文献１）。上記手ぶれ補正用駆動ユニットは、互いに対向する第一及び第二主面を有し、光軸方向において、撮像素子とレンズ駆動ユニットとの間に配置されている基板と、基板に形成されている複数のコイルと、複数のコイルと離間し且つ対向するようにレンズ駆動ユニットに配置されている複数のマグネットと、を有している。
【先行技術文献】
【特許文献】
【０００３】
【特許文献１】特開２０１３−２４９３８号公報
【発明の概要】
【発明が解決しようとする課題】
【０００４】
本技術分野におけるレンズ駆動装置では、手振れ補正用駆動ユニットが有するコイルとマグネットとの間隔が所定の値に管理されている必要がある。このため、当該レンズ駆動装置では、一般に、以下のようにしてコイルとマグネットとの間隔が所定の値に管理される。基板とマグネットとが、基板とマグネットとの間にスペーサが挿入された状態で、位置決めされる。基板とマグネットとが位置決めされている状態で、スペーサが、基板とマグネットとの間から除かれる。
【０００５】
しかしながら、状況によっては、コイルとマグネットとの間隔が所定の値に管理できない場合がある。たとえば、バリなどの異物が基板の第一主面の上に存在していると、基板とスペーサとの間に異物が挟まれる可能性がある。基板とスペーサとの間に異物が挟まれていると、コイルとマグネットとの間隔が、異物に対応する厚み分、大きくなってしまうため、コイルとマグネットとの間隔が所定の値に管理されない。すなわち、上記異物の有無により、当該間隔がバラついてしまうおそれがある。
【０００６】
本発明は、コイルとマグネットとの間隔が所定の値に管理されていると共に当該間隔にバラツキが生じ難いレンズ駆動装置を提供することを目的とする。
【課題を解決するための手段】
【０００７】
本発明に係るレンズ駆動装置は、レンズを保持するレンズホルダ及びレンズホルダをレンズの光軸方向に移動させるレンズ駆動部を有し、撮像素子上に配置されるレンズ駆動ユニットと、レンズ駆動ユニットを光軸方向と交差する方向に移動させることにより、手ぶれを補正する手ぶれ補正用駆動ユニットと、を備え、手ぶれ補正用駆動ユニットは、互いに対向する第一及び第二主面を有し、光軸方向において、撮像素子とレンズ駆動ユニットとの間に配置されている基板と、基板に形成されている複数のコイルと、複数のコイルと離間し且つ対向するようにレンズ駆動ユニットに配置されている複数のマグネットと、を有し、各コイルは、第一主面から突出するように基板に形成されている第一導体と、第二主面から突出するように基板に形成されている第二導体とが電気的に接続されることにより形成されている。
【０００８】
本発明に係るレンズ駆動装置では、第一導体は、第一主面から突出するように基板に形成されている。このため、コイルとマグネットとの間隔が所定の値に管理される際に、スペーサは、第一導体とマグネットとの間に挟まれ、基板の第一主面から離れて位置する。したがって、基板の第一主面の上に、バリなどの異物が存在している場合でも、異物が基板とスペーサとの間に挟まれることが抑制される。この結果、本発明に係るレンズ駆動装置では、コイルとマグネットとの間隔が所定の値に管理されていると共に、当該間隔にバラつきが生じ難い。
【発明の効果】
【０００９】
本発明によれば、コイルとマグネットとの間隔が所定の値に管理されていると共に当該間隔にバラツキが生じ難いレンズ駆動装置を提供することができる。
【図面の簡単な説明】
【００１０】
【図１】本発明の一実施形態に係るレンズ駆動装置を示す斜視図である。
【図２】本実施形態に係るレンズ駆動装置を示す分解斜視図である。
【図３】図２のIII−III線に沿った断面構成を示す図である。
【図４】図１のIV−IV線に沿った断面構成を示す図である。
【図５】コイルとマグネットとの間にスペーサが挿入されている状態を示す図である。
【図６】比較例のレンズ駆動装置におけるコイルとマグネットとの間にスペーサが挿入されている状態を示す図である。
【発明を実施するための形態】
【００１１】
以下、添付図面を参照して、本発明の実施形態について詳細に説明する。なお、説明において、同一要素又は同一機能を有する要素には、同一符号を用いることとし、重複する説明は省略する。
【００１２】
まず、図１〜図４を参照して、レンズ駆動装置１の構成を説明する。図１は、実施形態に係るレンズ駆動装置を示す斜視図である。図２は、本実施形態に係るレンズ駆動装置を示す分解斜視図である。図３は、図２のIII−III線に沿った断面構成を示す図である。図４は、図１のIV−IV線に沿った断面構成を示す図である。
【００１３】
レンズ駆動装置１は、図１及び図２に示されるように、カバー２、ベース３、基板ユニット１０、レンズ駆動ユニット２０、及び手ぶれ補正用駆動ユニット３０を備えている。レンズ駆動装置１は、例えば携帯電話等に搭載されるカメラ用レンズを駆動する装置である。基板ユニット１０、レンズ駆動ユニット２０、及び手ぶれ補正用駆動ユニット３０は、カバー２とベース３とで画成される空間内に収容されている。レンズ駆動装置１は、ＳＭＩＡ規格に適応しており、平面形状が、例えば８．５ｍｍ×８．５ｍｍに設定されている。
【００１４】
ベース３は、平面視で矩形状を呈するように２組の一対の辺３ａ，３ｂを有している。ベース３上には、撮像素子４が配置されている。ベース３には、撮像素子４に接続する配線（不図示）が設けられている。カバー２は、略直方体形状を呈している。カバー２は、ベース３に対向する表面部２ａと、表面部２ａの四辺からそれぞれ延びる側面部２ｂと、を有している。表面部２ａには、真円形状の開口２ｃが形成されている。
【００１５】
撮像素子４は、例えばＣＣＤ又はＣＭＯＳ等の固体撮像素子であって、光電変換により画像信号を生成し、出力する。撮像素子４から出力された画像信号は、ベース３に設けられた配線を通じて制御部（不図示）に送られる。
【００１６】
基板ユニット１０は、ベース基板１１、及び回路基板１２を備えている。ベース基板１１は、平面視で矩形状を呈している。ベース基板１１の中央部には、円形状の開口１１ａが形成されている。ベース基板１１の材質としては、例えばＬＣＰ（Liquid  Crystal  Polymer）等の樹脂材料が用いられる。ベース基板１１は、ベース３上に配置されている。ベース基板１１の一方の主面は、ベース３と対向するように位置している。ベース基板１１の他方の主面は、回路基板１２と対向するように位置している。ベース基板１１の他方の主面は、接着により回路基板１２と固定されている。これにより、ベース基板１１は、回路基板１２の補強部材として機能する。
【００１７】
回路基板１２は、平面視で矩形状を呈している。レンズ駆動ユニット２０及び手ぶれ補正用駆動ユニット３０に対して電気信号を伝達する配線を有している。回路基板１２の中央部には、円形状の開口１２ａが形成されている。回路基板１２の各角部には、取付け部１２ｂがそれぞれ設けられている。回路基板１２は、ベース基板１１上に配置されている。回路基板１２は、接着によりベース基板１１の他方の主面に固定されている。回路基板１２は、制御部に対して電気的に接続されている。回路基板１２は、制御部とレンズ駆動ユニット２０とを中継し、且つ制御部と手ぶれ補正用駆動ユニット３０とを中継する中継基板として機能する。回路基板１２は、例えばＦＰＣ（フレキシブルプリント基板）等によって構成される。
【００１８】
レンズ駆動ユニット２０は、撮像素子４（基板ユニット１０）の上方に配置されている。レンズ駆動ユニット２０は、マグネットホルダ２１、レンズホルダ２２、レンズ駆動用コイル２３、上側板バネ２４、及び下側板バネ２５を備えている。レンズ駆動ユニット２０は、オートフォーカス機能を実現している。
【００１９】
マグネットホルダ２１は、平面視で八角形状を呈する枠状の枠部２１ａと、枠部２１ａから立設された４つの突出部２１ｂと、を有している。枠部２１ａ及び各突出部２１ｂの内側に形成されている収納空間２１ｃには、レンズホルダ２２及びレンズ駆動用コイル２３が配置されている。各突出部２１ｂの間に形成される４つの領域２１ｄには、後述する、互いに対向する一対の第一マグネット（マグネット）３４、及び互いに対向する一対の第二マグネット（マグネット）３５が配置されている。
【００２０】
レンズホルダ２２は、筒状の部材であり、収納空間２１ｃに配置されている。レンズホルダ２２の内周面は、円形を呈している。レンズホルダ２２の内側には、レンズを収納したレンズバレル（不図示）が取り付けられる。レンズホルダ２２は、レンズバレルが取り付けられることにより、レンズを保持することとなる。レンズホルダ２２の外周面は、円形の領域２２ａと、八角形の領域２２ｂと、を有している。八角形の領域２２ｂには、レンズ駆動用コイル２３が取り付けられている。
【００２１】
レンズ駆動用コイル２３は、平面視で八角形状を呈する環状のコイルである。レンズ駆動用コイル２３は、レンズホルダ２２の外側に沿うように、レンズホルダ２２に取り付けられている。レンズ駆動用コイル２３は、２組の第一及び第二マグネット３４，３５と対向するように位置している。レンズ駆動用コイル２３は、上側板バネ２４及び後述するサスペンションワイヤ６を介して、回路基板１２に対して電気的に接続される。なお、レンズ駆動用コイル２３は、２組の第一及び第二マグネット３４，３５と共に、レンズ駆動部２６を構成することとなる。
【００２２】
上側板バネ２４は、内枠２４ａと、外枠２４ｂと、複数の腕部２４ｃと、を有している。内枠２４ａは、平面視で半円形状を呈する一対の枠体である。内枠２４ａは、レンズホルダ２２の内周面に沿って配置されている。内枠２４ａは、レンズホルダ２２の上端面２２ｃに固定されている。
【００２３】
外枠２４ｂは、ベース３の各辺３ａに沿って配置されている一対の長辺部と、各長辺部の両端部からベース３の各辺３ｂに沿って延在している４つの短辺部と、を有している。外枠２４ｂは、光軸方向ＯＡからみたときに、内枠２４ａの外側を囲むように位置している。外枠２４ｂの各角部には、取付け部２４ｄがそれぞれ設けられている。各取付け部２４ｄは、回路基板１２に形成された各取付け部１２ｂにそれぞれ対応している。外枠２４ｂは、マグネットホルダ２１の枠部２１ａの上端面２１ｅに固定されている。各腕部２４ｃは、内枠２４ａ及び外枠２４ｂを連結している。上側板バネ２４は、一枚の板状バネを所定形状に加工することによって形成されている。
【００２４】
下側板バネ２５は、内枠２５ａと、端部２５ｂと、複数の腕部２５ｃと、を有している。内枠２５ａは、平面視で円形状を呈する枠体である。内枠２５ａは、レンズホルダ２２の下端面２２ｄに固定されている。端部２５ｂは、光軸方向ＯＡからみたときに、内枠２５ａの外側を取り囲むように、所定間隔ごとに４箇所に配置されている。端部２５ｂは、マグネットホルダ２１の突出部２１ｂの下端面２１ｆに固定されている。各腕部２５ｃは、内枠２５ａ及び端部２５ｂを連結している。上記構成により、上側板バネ２４及び下側板バネ２５は、マグネットホルダ２１に対して、レンズホルダ２２を光軸方向ＯＡに移動可能に支持している。下側板バネ２５は、一枚の板状バネを所定形状に加工することによって形成されている。
【００２５】
上記レンズ駆動ユニット２０において、レンズ駆動用コイル２３に電流が流れると、レンズを保持するレンズホルダ２２は、２組の第一及び第二マグネット３４，３５の磁界の影響を受けて、光軸方向ＯＡに移動する。これにより、オートフォーカス機能が実現されることとなる。
【００２６】
手ぶれ補正用駆動ユニット３０は、撮像素子４とレンズ駆動ユニット２０とを、光軸方向ＯＡと垂直な方向に沿って相対移動させて手ぶれを補正する。手ぶれ補正用駆動ユニット３０は、コイル基板（基板）３１と、互いに対向して配置された一対の第一コイル（コイル）３２と、互いに対向して配置された一対の第二コイル（コイル）３３と、互いに対向して配置された一対の第一マグネット３４と、互いに対向して配置された一対の第二マグネット３５、及び２つの位置検出素子３６と、を有している。
【００２７】
コイル基板３１は、平面視で矩形状を呈している。コイル基板３１は、光軸方向ＯＡにおいて、撮像素子４とレンズ駆動ユニット２０との間に配置されている。コイル基板３１の中央部には、円形状の開口３１ａが形成されている。コイル基板３１としては、例えば、ガラスクロスにＢＴレジンを含浸させた一般的なプリント基板を用いる。コイル基板３１は、互いに対向する第一及び第二主面３１ｂ，３１ｃを有している。第一主面３１ｂは、レンズ駆動ユニット２０と対向しており、第二主面３１ｃは、基板ユニット１０と対向している。第二主面３１ｃは、回路基板１２に接着等により固定されている。
【００２８】
一対の第一コイル３２は、ベース３の各辺３ａに沿ってコイル基板３１に形成されている。各第一コイル３２は、各辺３ａの対向する方向（ｘ方向）において、撮像素子４を間に挟むようにそれぞれ位置している。各第一コイル３２は、図３に示されるように、第一導体３２ａと、第二導体３２ｂとが電気的に接続されることにより形成されている。第一導体３２ａは、渦巻き状の導体であり、第一主面３１ｂから突出するようにコイル基板３１に形成されている。第二導体３２ｂは、渦巻き状の導体であり、コイル基板３１の第二主面３１ｃから突出するようにコイル基板３１に形成されている。
【００２９】
第一導体３２ａの内周端と第二導体３２ｂの内周端とは、コイル基板３１を貫通するスルーホール導体（不図示）を介して互いに接続されている。これにより、第一及び第二導体３２ａ，３２ｂは、互いに電気的に接続される。各第一コイル３２は、第一及び第二導体３２ａ，３２ｂのそれぞれの外周端に形成された電極（不図示）を介して、回路基板１２と電気的に接続される。第一及び第二導体３２ａ，３２ｂは、第一及び第二主面３１ｂ，３１ｃと共に、酸化膜３１ｄで覆われている。
【００３０】
一対の第二コイル３３は、ベース３の各辺３ｂに沿ってコイル基板３１に形成されている。各第二コイル３３は、各辺３ｂの対向する方向において（ｙ方向）、撮像素子４を間に挟むようにそれぞれ位置している。各第二コイル３３は、図３に示されるように、第一導体３３ａと、第二導体３３ｂと、でそれぞれ形成されている。第一導体３３ａは、渦巻き状の導体であり、第一主面３１ｂから突出するようにコイル基板３１に形成されている。第二導体３３ｂは、渦巻き状の導体であり、第二主面３１ｃから突出するようにコイル基板３１に形成されている。
【００３１】
第一導体３３ａの内周端と第二導体３３ｂの内周端とは、コイル基板３１を貫通するスルーホール導体（不図示）を介して互いに接続されている。これにより、第一及び第二導体３３ａ，３３ｂは、互いに電気的に接続される。第二コイル３３は、第一及び第二導体３３ａ，３３ｂのそれぞれの外周端に形成された電極（不図示）を介して、回路基板１２と電気的に接続される。第一及び第二導体３３ａ，３３ｂは、第一及び第二主面３１ｂ，３１ｃと共に、酸化膜３１ｄで覆われている。
【００３２】
２組の第一及び第二マグネット３４，３５は、図２及び図４に示されるように、直方体形状を呈しており、マグネットホルダ２１の各領域２１ｄに対してそれぞれ配置されている。より詳細には、各第一マグネット３４は、光軸方向ＯＡにおいて、各第一コイル３２と離間し且つ対向するように配置されている。各第一マグネット３４は、ベース３の各辺３ａに沿って位置している。各第二マグネット３５は、各第二コイル３３と離間し且つ対向するように配置されている。各第二マグネット３５は、ベース３の各辺３ｂに沿って位置している。各第一マグネット３４のそれぞれの下面３４ａ、及び各第二マグネット３５のそれぞれの下面３５ａは、下側板バネ２５よりも基板ユニット１０側に突出している。
【００３３】
各下面３４ａと各第一コイル３２の先端との間隔は、図４に示されるように、所定値Ｄに設定されている。同様に、各下面３５ａと各第一コイル３２の先端との間隔も、所定値Ｄに管理されている。
【００３４】
各位置検出素子３６は、図２に示されるように、回路基板１２に配置されている。各位置検出素子３６は、撮像素子４に対するレンズ駆動ユニット２０の相対的な位置を検出する。より詳細には、各位置検出素子５は、各第一マグネット３４のｘ方向への移動による磁場の変化を検出し、且つ各第二マグネット３５のｙ方向への移動による磁場の変化を検出することにより、レンズ駆動ユニット２０の位置を検出する。これらの検出結果に基づいて、手ぶれ補正が行なわれる。
【００３５】
２組の第一及び第二コイル３２，３３に電流が流れると、各第一コイル３２及び各第一マグネット３４が、撮像素子４に対して、レンズ駆動ユニット２０をｘ方向に移動させる。各第二コイル３３及び各第二マグネット３５が、撮像素子４に対して、レンズ駆動ユニット２０をｙ方向に移動させる。すなわち、レンズ駆動ユニット２０は、光軸方向ＯＡと垂直方向に沿って移動することとなる。
【００３６】
レンズ駆動装置１は、４本のサスペンションワイヤ６を更に備えている。各サスペンションワイヤ６は、光軸方向ＯＡに延在している。各サスペンションワイヤ６は、基板ユニット１０とレンズ駆動ユニット２０とを連結する。より詳細には、各サスペンションワイヤ６の一端は、回路基板１２の各取付け部１２ｂに取り付けられている。各サスペンションワイヤ６の他端は、上側板バネ２４の各取付け部２４ｄに取り付けられている。基板ユニット１０及びレンズ駆動ユニット２０は、各サスペンションワイヤ６に連結されることにより、光軸方向ＯＡと垂直方向に相対移動可能となっている。なお、各サスペンションワイヤ６の一端は、回路基板１２の各取付け部１２ｂではなく、例えばベース基板１１に形成された取付け部（不図示）に取り付けられてもよい。
【００３７】
次に、図５を参照して、２組の第一及び第二コイル３２，３３と、２組の第一及び第二マグネット３４，３５との間隔を所定値Ｄに管理する過程を示す。当該過程は、図５に示されるように、所定値Ｄと同等の厚みを有するスペーサＳを用いて行われる。スペーサＳとしては、厚み方向の精度が保証されたものであればよく、例えばステンレス鋼板等の金属板が用いられる。
【００３８】
まず、カバー２、ベース３、各サスペンションワイヤ６、及びレンズ駆動ユニット２０が取り外された状態のレンズ駆動装置１を準備する。その後、スペーサＳを各第一コイル３２の第一導体３２ａの上に配置する。さらに、スペーサＳの上に、レンズ駆動ユニット２０を配置する（図５（ａ）の状態）。この状態で、各サスペンションワイヤ６を取り付ける。各サスペンションワイヤ６をすべて取り付けた後に、スペーサＳを取り除く（図５（ｂ）の状態）。これにより、２組の第一及び第二コイル３２，３３と、２組の第一及び第二マグネット３４，３５との間隔が所定値Ｄに管理される。
【００３９】
コイル基板３１の端部にバリ５０が形成されていた場合であっても、所定値Ｄが適切に管理される。すなわち、バリ５０が第一主面３１ｂとスペーサＳとの間に挟まれることが抑制されるので、スペーサＳは、各第一導体３２ａ，３３ａ及び２組の第一及び第二マグネット３４，３５によって確実に挟み込まれることとなる。このため、所定値Ｄが適切に管理される。
【００４０】
また、バリ５０が第二主面３１ｃと回路基板１２との間に挟まれることが抑制されるので、コイル基板３１の変形が抑制され、コイル基板３１の平面度が保たれる。このため、所定値Ｄが適切に管理される。
【００４１】
本実施形態の効果を説明するために、図６に比較例を示す。図６は、比較例のレンズ駆動装置１００における図５に対応する図である。
【００４２】
比較例に係るレンズ駆動装置１００は、各第一導体１３２ａ，１３３ａが第一主面１３１ｂから突出していない点において、本実施形態のレンズ駆動装置１と相違する。また、レンズ駆動装置１００は、各第二導体１３２ｂ，１３３ｂが第二主面１３１ｃから突出していない点で、本実施形態のレンズ駆動装置１と相違する。所定値Ｄを管理する過程は、本実施形態と同様である。
【００４３】
比較例の場合、バリ１５０が、各第一導体１３２ａ，１３３ａよりも第一主面１３１ｂから突出しているので、スペーサＳと第一主面３１ｂとによってバリ１５０が挟み込まれることとなる。このため、所定値Ｄが適切に管理されない。また、バリ１５０が、各第二導体１３２ｂ，１３３ｂよりも第二主面１３１ｃから突出しているので、第二主面３１ｃと回路基板１２とによってバリが挟み込まれることとなる。これにより、バリ１５０を挟み込んだ際に発生する反力によってコイル基板１３１が変形し、コイル基板１３１の平面度が保たれない。このため、所定値Ｄが適切に管理されない。
【００４４】
以上のように、本実施形態では、各第一導体３２ａ，３３ａは、第一主面３１ｂから突出するようにコイル基板３１に形成されている。このため、各第一導体３２ａ，３３ａと、２組の第一及び第二マグネット３４，３５との間隔が所定値Ｄに管理される際に、スペーサＳは、各第一導体３２ａ，３３ａと、２組の第一及び第二マグネット３４，３５との間に挟まれ、コイル基板３１の第一主面３１ｂから離れて位置する。したがって、コイル基板３１の第一主面３１ｂの上に、バリ５０などの異物が存在している場合でも、異物が第一主面３１ｂとスペーサＳとの間に挟まれることが抑制される。この結果、本実施形態に係るレンズ駆動装置１では、各第一導体３２ａ，３３ａと、２組の第一及び第二マグネット３４，３５との間隔が所定値Ｄに管理されていると共に、当該間隔にバラつきが生じ難い。
【００４５】
また、第二導体３２ｂ，３３ｂは、第二主面３１ｃから突出するようにコイル基板３１に形成されている。このため、コイル基板３１の第二主面３１ｃにバリ５０などの異物が存在している場合でも、第二主面３１ｃが回路基板１２から離れて位置するので、異物が第二主面３１ｃと回路基板１２との間に挟まれることが抑制される。これにより、コイル基板３１の変形が抑制され、コイル基板３１の平面度が保たれる。この結果、本実施形態に係るレンズ駆動装置１では、各第一導体３２ａ，３３ａと、２組の第一及び第二マグネット３４，３５との間隔が所定値Ｄに管理されていると共に、当該間隔にバラつきが生じ難い。
【００４６】
なお、コイル基板３１に形成された局所的な歪みが、コイル基板３１の第一乃至第二主面３１ｂ，３１ｃから突出していた場合も、同様の効果を奏する。また、パーティクルが、コイル基板３１の第一乃至第二主面３１ｂ，３１ｃ（又は、回路基板１２等）に付着していた場合も、同様の効果を奏する。
【００４７】
以上、本発明の実施形態について説明してきたが、本発明は必ずしも上述した実施形態に限定されるものではなく、その要旨を逸脱しない範囲で様々な変更が可能である。
【００４８】
例えば、第一及び第二導体３２ａ，３２ｂ，３３ａ，３３ｂを覆っている酸化膜３１ｄは、樹脂層で覆われていてもよい。樹脂層が存在する場合、スペーサＳは、樹脂層と接する。
【００４９】
手振れ補正用駆動ユニット３０は、撮像素子４とレンズ駆動ユニット２０とを、光軸方向ＯＡと垂直な方向に沿って相対移動させているが、これに限られない。例えば、手ぶれ補正用駆動ユニット３０は、撮像素子４とレンズ駆動ユニット２０とを、光軸方向ＯＡと交差する方向に沿って相対移動させてもよい。
【符号の説明】
【００５０】
１…レンズ駆動装置、４…撮像素子、２０…レンズ駆動ユニット、２２…レンズホルダ、２６…レンズ駆動部、３０…手ぶれ補正用駆動ユニット、３１…コイル基板（基板）、３１ｂ…第一主面、３１ｃ…第二主面、３２…第一コイル（コイル）、３３…第二コイル（コイル）、３２ａ，３３ａ…第一導体、３２ｂ，３３ｂ…第二導体、３４…第一マグネット（マグネット）、３５…第二マグネット（マグネット）、ＯＡ…光軸方向。
【図１】
2016024429.tif 000003
【図２】
2016024429.tif 000004
【図３】
2016024429.tif 000005
【図４】
2016024429.tif 000006
【図５】
2016024429.tif 000007
【図６】
2016024429.tif 000008